(57)【要約】【課題】アンテナ特性の向上を図る電子ペンを提供する。【解決手段】キャップ１０３には、金属製のクリップ１０５が設けられており、キャップ１０３に付設されたクリップ１０５の一端は、キャップ内側に連通している。キャップ内壁には、クリップ１０５の一端が付設された位置と反対側に突起部１０７が設けられており、キャップ１０３を電子ペン１００の後端に嵌合した際、突起部１０７が筐体に設けられたアンテナ端子１０６の一端を押し込み、アンテナ端子１０６の他端がクリップ１０５の一端と接続する。【選択図】図２
2012230561.tif 000002
【特許請求の範囲】
【請求項１】
筐体に対して着脱自在なキャップと、
前記キャップに付設され、付設された一端が前記キャップ内部に連通する金属製のクリップと、
前記筐体の後端側側面に突出し、前記キャップを前記筐体の後端に嵌合した場合において、前記クリップの一端に接続するアンテナ端子と、
を具備する電子ペン。
【請求項２】
前記クリップは、ダイポールアンテナとして動作する請求項１に記載の電子ペン。
【請求項３】
前記クリップは、マルチバンドに対応したマルチアンテナとして動作する請求項１に記載の電子ペン。
【発明の詳細な説明】
【技術分野】
【０００１】
本発明は、データを外部装置に送信する電子ペンに関する。
【背景技術】
【０００２】
近年、紙に書いた情報をデジタル情報として管理する電子ペン（「デジタルペン」ともいう）が普及しつつある。電子ペンは、通常のペン先部に加えて、ＣＣＤ（Charge Coupled Device）カメラなどの小型カメラを内蔵している。利用者が電子ペンを用いて、所定のドットパターンが印刷された専用紙に文字や図を記述すると、電子ペンは筆圧を検出して、小型カメラによる撮像を開始し、電子ペンの移動に伴って小型カメラが専用紙のドットパターンを読み取る。
【０００３】
電子ペンにはプロセッサが内蔵されており、このプロセッサが小型カメラによって読み取られたドットパターンから専用紙上の座標を算出する。また、プロセッサは、算出された座標データとタイムスタンプとを関連付けてメモリに記憶する。メモリに記憶されたデータは、利用者の指示に従って、データ通信ユニットから端末装置へ転送される。
【０００４】
このように、データ通信ユニットからデータを外部の端末装置へ転送する技術として、例えば、特許文献１に開示の技術が知られている。特許文献１には、メモリに格納されたデータが読み出され、読み出されたデータに所定の送信処理を施して、電子ペン内部に設けられたアンテナコイルから電磁波として放射する電子ペンが開示されている。
【先行技術文献】
【特許文献】
【０００５】
【特許文献１】特開平８−２１１９９０号公報
【発明の概要】
【発明が解決しようとする課題】
【０００６】
しかしながら、上述した特許文献１に開示の電子ペンでは、アンテナコイルが電子ペンに内蔵されており、アンテナ特性を向上させるのが困難である。
【０００７】
本発明の目的は、アンテナ特性の向上を図る電子ペンを提供することである。
【課題を解決するための手段】
【０００８】
本発明の電子ペンは、筐体に対して着脱自在なキャップと、前記キャップに付設され、付設された一端が前記キャップ内部に連通する金属製のクリップと、前記筐体の後端側側面に突出し、前記キャップを前記筐体の後端に嵌合した場合において、前記クリップの一端に接続するアンテナ端子と、を具備する構成を採る。
【発明の効果】
【０００９】
本発明によれば、アンテナ特性の向上を図ることができる。
【図面の簡単な説明】
【００１０】
【図１】本発明の一実施の形態に係る電子ペンのペン先側構成を示す断面図
【図２】本発明の一実施の形態に係る電子ペンの後端側構成を示す断面図
【図３】キャップを開口部側から見た斜視図
【図４】筐体側面に形成された突起を示す斜視図
【図５】電子ペンの後端にキャップを嵌合した様子を示す図
【図６】マルチアンテナとして構成したクリップを示す図
【図７】図６に示したアンテナの内側にアンテナパターンを構成した様子を示す図
【発明を実施するための形態】
【００１１】
以下、本発明の実施の形態について、図面を参照して詳細に説明する。
【００１２】
（一実施の形態）
図１は、本発明の一実施の形態に係る電子ペン１００のペン先側構成を示す断面図である。図１において、専用紙のドットパターンを撮像するカメラ部１０２がペン先１０１の近傍に設けられており、着脱自在なキャップ１０３が筐体１０４に嵌合し、ペン先１０１及びカメラ部１０２を収容している。キャップ１０３には、金属製のクリップ１０５が設けられており、キャップ１０３に付設されたクリップ１０５の一端は、キャップ内側に連通している。クリップ１０５は、例えば、６０ｍｍ程度の長さを有し、アンテナ素子として機能する。具体例としては、近距離無線通信方式のＢｌｕｅ Ｔｏｏｔｈ（登録商標）用のダイポールアンテナが想定される。この場合、アンテナの周波数及びインピーダンスが比較的安定しているため、これらの調整に要する負荷を低減することができる。なお、キャップ１０３は、クリップ１０５以外は絶縁体とする。
【００１３】
図２は、本発明の一実施の形態に係る電子ペン１００の後端側構成を示す断面図である。図２では、キャップ１０３を電子ペン１００の後端に嵌合した様子を示している。電子ペン１００の後端側筐体の側面に突出するアンテナ端子１０６が設けられている。
【００１４】
キャップ内壁には、クリップ１０５の一端が付設された位置と反対側に突起部１０７が設けられており、キャップ１０３を電子ペン１００の後端に嵌合した際、突起部１０７がアンテナ端子１０６の一端を押し込み、アンテナ端子１０６の他端がクリップ１０５の一端と接続する。
【００１５】
筐体内部には、基板１０８が設けられており、アンテナ端子１０６と基板１０８とが配線によって接続されている。また、基板１０８には、図示せぬプロセッサ、メモリなどが搭載されている。これにより、プロセッサがデータを変調し、アンテナとして機能するクリップ１０５から送出することができる。
【００１６】
ここで、キャップ内壁には、図３に示すように、キャップ１０３の開口部から奥へ向かって直線状の溝１０９が形成されており、筐体１０４の側面には、図４に示すように、突起部１１０が形成されている。利用者がキャップ１０３を電子ペン１００の後端に嵌合させる際、筐体１０４の突起部１１０をキャップ１０３の溝１０９に合わせ、突起部１１０を溝１０９に沿って摺動させる。電子ペン１００の後端にキャップ１０３を嵌合した様子を図５に示す。これにより、キャップ１０３のクリップ１０５と筐体１０４のアンテナ端子１０６とを容易に接続することができる。
【００１７】
このように、本実施の形態によれば、キャップに設けた金属製のクリップをアンテナ素子として機能させることにより、アンテナ特性を向上させることができる。
【００１８】
なお、本実施の形態では、クリップの形状については、特に言及しなかったが、図６に示すように、キャップ１０３に接続する支持部２０１からキャップ開口部と終端部にそれぞれ延伸する、マルチバンドに対応したマルチアンテナとして構成してもよい。このように、アンテナ素子を外付けにしたことにより、アンテナ形状を自由にデザインすることができると共に、筐体を小型化することができる。
【００１９】
また、図７に示すように、図６に示したアンテナの内側にアンテナパターンを構成してもよい。これにより、手や物がアンテナパターンに触れにくくなり、アンテナ特性の劣化を防止することができる。
【産業上の利用可能性】
【００２０】
本発明にかかる電子ペンは、アンテナ特性の向上を図るのに有用である。
【符号の説明】
【００２１】
１０１  ペン先
１０２  カメラ部
１０３  キャップ
１０４  筐体
１０５  クリップ
１０６  アンテナ端子
１０７、１１０  突起部
１０８  基板
１０９  溝
【図１】
2012230561.tif 000003
【図２】
2012230561.tif 000004
【図３】
2012230561.tif 000005
【図４】
2012230561.tif 000006
【図５】
2012230561.tif 000007
【図６】
2012230561.tif 000008
【図７】
2012230561.tif 000009